(57)【要約】【課題】  従来のシェーズロングソファは、長尺座が固定されて備えられているため、部屋の模様替えや引越しの際に長尺座が邪魔になり、使い勝手が悪かった。【解決手段】  本発明のソファは、ソファ本体の左右の袖間に二以上の座が設置され、二以上の座の一つ又は二以上は前後長が標準長である標準座であり、他の一つの座は前後長が標準座の前後長よりも長く且つ座の背凭れ側に着座して前方に延ばした脚を支持可能な長さの長尺座であるシェーズロングソファにおいて、台輪に二以上の座を設置可能な座設置部があり、それら座設置部への前記標準座と長尺座の配置を入れ替え可能としてある。前記ソファの標準座・長尺座を個別に前後スライド可能とし、標準座・長尺座と台輪に互いに係止可能な係止機構を設けて、座を所望のスライド位置に固定可能とすることができる。また、長尺座のスライド長を標準座のスライド長よりも長くすることもできる。【選択図】図１
2008259768.tif 000002
【特許請求の範囲】
【請求項１】
ソファ本体の左右の袖間に二以上の座が設置され、二以上の座の一つ又は二以上は前後長が標準長である標準座であり、他の一つの座は前後長が標準座の前後長よりも長く且つソファ本体前面よりも前方まで突出する長さの長尺座であるシェーズロングタイプソファにおいて、ソファ本体の台輪に二以上の座設置部があり、それら座設置部に長尺座の後半部と標準座が設置され、標準座又は／及び長尺座は座設置部の上を前後スライドでき、標準座又は／及び長尺座とソファ本体の座設置部に互いに係止できる係止機構を備え、長尺座のソファ本体前面よりも前方まで突出する前半部はソファの設置面に支持される支持部を備え、標準座と長尺座は入れ替えできるようにソファ本体の座設置部から取り外しできることを特徴とするシェーズロングタイプソファ。
【請求項２】
請求項１記載のシェーズロングタイプソファにおいて、長尺座のスライド長が標準座のスライド長よりも長いことを特徴とするシェーズロングタイプソファ。
【発明の詳細な説明】
【技術分野】
【０００１】
本発明は座の前後長が標準長である標準座と、それよりも長い前後長の長尺座を備えたシェーズロングタイプソファに関する。
【背景技術】
【０００２】
シェーズロングタイプのソファは古くからあったが、一時的に市場であまり見掛けなかった。最近になって人気が復活している。従来のシェーズロングタイプソファは、長尺座がソファの左右の袖のいずれか一方側に固定されているため、新規購入時には使用する住宅の間取りに合わせて左側固定のものか右側固定のものを選択していた。
【発明の開示】
【発明が解決しようとする課題】
【０００３】
しかし、長尺座が固定であるため、ソファを配置替えすると長尺座の先端側がベランダへの出入りの邪魔になるとか歩行の邪魔になるといったことがある。また、引越しをして間取りが変わると、長尺座が邪魔になって所望通りに家具を配置できず、室内の使い勝手が悪くなることがある。これらの理由から、シェーズロングタイプソファの購入が見送られることもある。
【課題を解決するための手段】
【０００４】
本発明は長尺座をソファ本体の左右いずれかの袖側に入れ替えることができるシェーズロングタイプのソファを提供するものである。必要であれば中央の座とも入れ替え可能とすることででき、ソファ本体に設置した座を前後にスライドすることもできるシェーズロングタイプのソファを提供するものでもある。
【０００５】
本件出願のシェーズロングタイプソファは、請求項１記載のように、ソファ本体の左右の袖間に二以上の座が設置され、二以上の座の一つ又は二以上は前後長が標準長である標準座であり、他の一つの座は前後長が標準座の前後長よりも長く且つソファ本体前面よりも前方まで突出する長さの長尺座であるシェーズロングタイプソファにおいて、ソファ本体の台輪に二以上の座設置部があり、それら座設置部に長尺座の後半部と標準座が設置され、標準座又は／及び長尺座は座設置部の上を前後スライドでき、標準座又は／及び長尺座とソファ本体の座設置部に互いに係止できる係止機構を備え、長尺座のソファ本体前面よりも前方まで突出する前半部はソファの設置面に支持される支持部を備え、標準座と長尺座は入れ替えできるようにソファ本体の座設置部から取り外しできるようにしたものである。この場合、請求項２記載のように、前記シェーズロングタイプソファにおいて、長尺座のスライド長を標準座のスライド長よりも長くすることもできる。
【発明の効果】
【０００６】
本件出願のシェーズロングタイプソファは次のような効果がある。
（１）ソファ本体への標準座と長尺座の配置を入れ替え可能であるため、間取りに合わせて標準座と長尺座を入れ替えることができ、室内の歩行やベランダへの出入り等に支障のない配置が可能となる。
（２）室内空間に余裕がある場合は気分転換のために標準座と長尺座の配置を入れ替えることもできる。
（３）標準座と長尺座をソファ本体の座設置部から取り外してそのまま他の座設置部に入れ替えできるため入れ替え操作が容易である。
（４）係止機構によって着座する人の体格や身長に合わせて標準座及び長尺座を前後にスライドさせて位置調節できるため使い勝手が良い。
（５）長尺座のスライド長を標準座のスライド長より長くしてあるため、長尺座を引き出せば長尺座の上で胡坐をかいたり寝そべったりすることもでき、より快適な使用が可能となる。長尺座を押し戻せば歩行の邪魔にならない。
【発明を実施するための最良の形態】
【０００７】
（実施形態１）
本発明のシェーズロングタイプソファの実施形態の一例を図１〜図６に基づいて説明する。この実施形態のシェーズロングタイプソファは三人掛け用であり、台輪１（図２）と左右の袖２（図１）と背凭れ３（図１）と腰当て部４（図１）を備えたソファ本体５に三つの座を設置してあり、座は前後長が標準長である標準座６が二つ（二席分）と、前後長が標準座６の前後長よりも長い長尺座７が一つ（一席分）設けられている。
【０００８】
台輪１（図２）は既存のソファの台輪と同様に左右の妻板８、背板９、笠木１０、前板１１、後板１２を備えている。二枚の妻板８は後方の縦板８ａの下から前方に横板８ｂが突設されてL字状になっている。二枚の仕切り板１３も妻板８と同じく略Ｌ字状に形成され、後方の縦板１３ａの下から前方に横板１３ｂが突設されている。二枚の妻板８とその間の二枚の仕切り板１３は前端側が細長の前板１１によって横に、後端部間が細長の後板１２によって横に夫々連結されている。二枚の妻板８の後部上面と二枚の仕切り板１３の後部上面が笠木１０で横に連結され、妻板８の横板８ｂと仕切り板１３の横板１３ｂの前面が二本の細長板１４で横に連結されている。
【０００９】
図２に示すように二枚の妻板８の内面と仕切り板１３の左右両側面に座を支持できる細長の金属製の座設置部（ガイドレール）１５が前後方向に取付けられている。このガイドレール１５の上面幅は、図４に示すように標準座６及び長尺座７の側面下端寄り位置に取付けられた回転ローラー１６が転がるのに十分な横幅にしてある。ガイドレール１５の長手方向三箇所に所定間隔でＶ字状或いはU字状の凹陥部（係止部）１７が形成されており、ガイドレール１５の上を回転する回転ローラー１６がその係止部１７に係止できるようにしてある。係止部１７の形状、傾斜角度、深さ、数、間隔等は回転ローラー１６の直径に合わせて選択することができる。
【００１０】
図１、図３の袖２は妻板８の外側に配置して妻板８に固定されている。この袖２は妻板８の外側に配置された枠体（図示しない）の外側にクッション材を設け、その外側を表材でカバーして形成されている。背凭れ３及び腰当て部４は笠木１０、妻板８の縦板８ａ及び横板８ｂ、仕切り板１３の縦板１３ａ及び横板１３ｂの外周に肉厚のクッション材を被せ、その外側を表材でカバーして形成されている。左右の妻板８の夫々とその内側の仕切り板１３の間、両仕切り板１３の間には長尺座７の後半部７ａ及び標準座６の後半部６ａを設置可能な設置空間２０（図２、図３ａ）が形成されている。設置空間２０の広さ、奥行き等の寸法は標準座６、長尺座７の寸法に合わせて選択されている。設置空間２０の後方空間部２０ａ（図２、図３ａ）は背凭れ３及び腰当て部４の下方に形成されており、設置空間２０にセットされた長尺座７の後端部７ｂ及び標準座６の後端部６ｂが前記後方空間部２０ａ内にセットされるようにしてある（図３ａ、ｂ）。
【００１１】
図４、図５に示すように長尺座７はその前後長（奥行き）が、標準的な長さの標準座６の前後長（奥行き）よりも長く形成されている。図４、図５に示すように長尺座７の座枠２５の上面横幅方向にベルト２７が張られ、その上にＳ字状に蛇行するスプリング２８が座枠２５の前後方向（ベルト２７と交差する方向）に張られ、スプリング２８の上にクッション材２９〜３２が設けられ、その上面、周囲、底面の全周が表材でカバーされて座シート３３が形成されている。表材の外周部は座枠２５に固定されている。前記ベルト２７には例えばエラスベルト、ウェービングテープ（いずれも商品名）を初めとして各種材質の物を用いることができる。例えば、弾力性（スプリング性）を有するものとして、着座した人の重さでスプリング２８が下方に撓むとそれに追随してベルト２７が上方に復帰してスプリング２８の上方への復帰を助ける（助勢する）ことができるものとすることもできる。クッション材の一例としては図５に示すように下から順に再生ウレタン２９、硬質ウレタン３０、軟質ウレタン３１、綿３２をスプリング２８の上に積層したものとすることができる。ベルト２７の幅や本数、スプリング２８の本数、間隔等は任意に決めることが出来る。座枠２５、座シート３３の幅、形状、寸法、材質等は任意に選択することができる。
【００１２】
長尺座７の方形の座枠２５の前方部底面の左右両側寄り位置には支持部（キャスター）２６が取り付けられ、そのキャスター２６が使用時に図６に示すようにソファ本体１の設置面（床面）に設置されて、長尺座７の前半部７ｃを支持できるようにしてある。支持部２６はキャスター以外のものであってもよい。長尺座７の方形の座枠２５の後方部両側面には板状のブラケット３５が取付けられ、そのブラケット３５に回転ローラー１６が回転自在に取付けられている。回転ローラー１６は図３（ａ、ｂ）、図６（ａ）に示すようにソファ本体５のガイドレール１５の上に乗ってその上を回転し、長尺座７を前後にスムーズにスライドするものである。回転ローラー１６のサイズは任意に選択することができる。回転ローラー１６の取付け位置も、座枠２５の側面には限られず座枠２５の底面とか他の任意位置とすることができる。この実施形態では回転ローラー１６と前記ガイドレール１５の係止部１７とにより座を所定位置に係止できる係止機構が構成される。
【００１３】
図６（ａ、ｂ）に示すように、ブラケット３５の回転ローラー１６の下方にはストッパー３６が設けられている。ストッパー３６にはパイプや丸棒等が用いられている。ストッパー３６は前方に引き出された長尺座７の前半部７ｃに荷重が掛かって後半部７ａが跳ね上がるとガイドレール１５の下面に当たって長尺座７の後半部７ａがそれ以上は浮き上がらない（跳ね上がらない）ようにするためのものであり、このストッパー３６とガイドレール１５とにより長尺座７の後半部７ａの浮き上がりを防止する浮上防止機構を構成する。
【００１４】
標準座６の構造は長尺座７の前記構造とほぼ同様であり、異なるのはその前後長（奥行き）が長尺座７よりも短い標準長（メーカーや機種によって多少の差異はある）に形成されていることである。標準座６も前後にスライドできるようにガイドレール１５の上にセットされるが、ガイドレール１５の数箇所の係止部１７の間隔を短くすることにより、一回での前後スライド長を長尺座７の一回での前後スライド長より短くしてあり、又、ガイドレール１５の全長を長尺座７のガイドレール１５の全長よりも短くして、スライド全長を長尺座７のスライド全長よりも短くしてある。この場合、標準座６の座枠２５にスライド長を制限するストッパー（スライド長規制機構：図示しない）を設ける等し、標準座６を前方にスライドさせるとそのストッパーがガイドレール１５又は台輪１の係止受部（図示してない）に係止して、それ以上は前方スライドできない（前方へのスライド延長が規制される）ようにするなどして、最大前方スライド長を制限し、標準座６の前後引き出し長が長尺座７の前後引き出し長よりも短くなるようにすることもできる。
【００１５】
（使用例）
本発明のソファは図１、図３（ａ、ｂ）に示すように長尺座７の後半部７ａ、標準座６の後半部６ａが設置空間２０内に配置され（セットされ）、その長尺座７の後端部７ｂ及び標準座６の後端部６ｂが設置空間２０の後方空間部２０ａに差し込まれている。また、図６（ａ）に示すように回転ローラー１６がガイドレール１５の上にセットされてその上を回転走行でき、キャスター２６が床面に接触して床面の上を前後にスライドでき、ストッパー３６（図４、５）がガイドレール１５の下に配置されて（図３、４）、長尺座７の後半部７ａ及び標準座６の後半部６ａの浮き上がりが防止され、長尺座７の前半部７ｃ（図３ａ）がソファ本体５の前方に突出している。この状態で通常のシェーズロングタイプのソファと同様に使用することができる。
【００１６】
ソファ本体５にセットされた長尺座７、標準座６は、着座したまま前方への力を加えると個別に前方スライドさせることができる。この場合、それまでガイドレール１５の係止部１７に係止していた回転ローラー１６が係止部１７から外れてガイドレール１５の上を走行し、一つ前方の係止部１７に嵌入して自動的に停止する。この前方スライドにより、それまで設置空間部２０の後方空間部２０ａ内に収容されていた長尺座７の後端部７ｂ、標準座６の後端部６ｂが後方空間部２０ａから前方に引き出されて長尺座７、標準座６の前方への突出長が長くなる。このとき、後方空間部２０ａに差し込まれていた長尺座７は、同様に後方空間部２０ａに差し込まれていた標準座６よりも長く前方スライドさせて突出させることができる。標準座６、長尺座７を前方スライドさせた場合、図３（ａ）に示すように長尺座７、短尺座６の座シート３３の後端と背板９との間に張設してある連結シート４０が伸びて、長尺座７、標準座６の後方の後方空間部２０ａが露呈しないようにその後方空間部２０ａが閉塞される。
【００１７】
引き出した長尺座７、標準座６を元に戻したいときは、着座したまま長尺座７、標準座６の夫々を個別に後方にスライドさせて長尺座７の後端部７ｂ、標準座６の後端部６ｂを後方空間部２０ａ内に押込む。この場合も、長尺座７、標準座６の回転ローラー１６が係止部１７から外れてガイドレール１５上を後方スライドし、次の係止部１７で自動的に停止する。このとき、前記連結シート４０が縮んで邪魔にならないようにしてある。長尺座７、標準座６の前方或いは後方へのスライドは長尺座７、標準座６に座ったままで腰を前後に動かすことによって行うことも、座から立ち上がって長尺座７、標準座６の先端を手で掴むなどして前後に動かして行うこともできる。
【００１８】
長尺座７及び標準座６はソファ本体５への配置を入れ替える場合は、入れ替えたい長尺座７と標準座６を前方へ引き出してソファ本体５の設置空間２０から引き抜き、空になった夫々の設置空間２０に標準座６と長尺座７を入れ替えてセットする。
【００１９】
（実施形態２）
前記実施形態の座設置部はガイドレール１５であるが、本発明の座設置部は他の形状、構造とすることもできる。その一例を図７、図８に基づいて説明する。この実施形態では図７に示すように二枚の妻板８の内面と二枚の仕切り板１３の左右両面に前後に長い木材製の支持板５０を固定し、この支持板の上面５１を標準座６及び長尺座７の底面を支持可能な座設置部としてある。上面（座設置部）５１の上に設置された標準座６及び長尺座７はその上を前後スライドできるようにしてある。支持板５０は木製に限られず金属製、樹脂製等、任意の素材製とすることもできる。
【００２０】
前記支持板５０の内面５２の前方寄りには、標準座６及び長尺座７を位置決めするための係止具５３（図７）がビス、釘等の固定具によって固定されている。この係止具５３には上面開口の嵌合溝５４が形成され、この嵌合溝５４に、座の底面に設けられた前方ピン５５、後方ピン５６（図８）を嵌合できるようにしてある。係止具５３のうち嵌合溝５４の前方部５８と後方部５９は両端部の夫々から差込孔５４に向かって上り傾斜に形成されて、前方ピン５５、後方ピン５６が合溝５４に滑らかに嵌合、離脱できるようにしてある。この実施形態では係止具５３と前方ピン５５、後方ピン５６とにより係止機構が構成され、標準座６及び長尺座７を位置決めできるようにしてある。
【００２１】
前記前方ピン５５は図８（ａ、ｂ）に示すように長尺座７の座枠２５の前方寄り底面から下方に突出されており、前記後方ピン５６は座枠２５の底面で前方ピン５５の後方から下方に突出されている。座枠２５の底面で後方ピン５６の後方にはストッパー５７が下方に突設されている。前方ピン５５及び後方ピン５６は下方への突出長が同じであり、前記係止具５３の差込溝５４に嵌合して長尺座７を位置決めできる。図８（ａ）のように長尺座７の後半部７ａを設置空間２０に収容し、差込溝５４に前方ピン５５を嵌合すると、長尺座７が設置空間２０にセットされた状態で位置決めされ、図８（ｂ）のように、長尺座７を前方へスライドさせて、差込溝５４に後方ピン５６を嵌合させると、長尺座７が前方へ引き出された状態で位置決めされる。
【００２２】
前記ストッパー５７は前方ピン５５及び後方ピン５６よりも長く下方に突設されており、長尺座７が前方へスライドし過ぎる前に係止具５３の背面に突き当たってソファ本体５からの長尺座７の脱落を防止できるようにしてある。長尺座７を位置決めする前方ピン５５、後方ピン５６の本数は図示した本数よりも多くすることも少なくすることもできる。また、前方ピン５５と後方ピン５６の間隔を変えて長尺座７の前後スライド長を調節することができる。
【００２３】
実施形態２の標準座６の構造も図８（ａ、ｂ）に示す長尺座７の前記構造とほぼ同様であり、異なるのは前後長（奥行き）が長尺座７よりも短く形成されていることである。この標準座６の前方ピン５５と後方ピン５６の間隔は前記長尺座７の前方ピン５５と後方ピン５６の間隔よりも狭くして、標準座６の前後スライド長が長尺座７の前後スライド長より短くなるようにしてある。
【００２４】
（実施形態３）
座設置部の形状や材質は図２、図３に示したガイドレール１５や図７に示した支持板５０に限られず、長尺座７、標準座６がその上をスライドできれば他の任意形状、構造、材質とすることができる。例えば、妻板８、仕切り板１３を肉厚にし、その肉厚方向に高低差をつけてその下段部上面を座がスライド可能な座設置部とすることもできる。この場合は座設置部の長手方向に一定間隔で穴をあけ、その穴に細長突起が嵌入して位置決めできるようにすることもできる。
【００２５】
（実施形態４）
長尺座７及び標準座６を支持する支持部は前記実施形態１記載のようなキャスター２６には限られず、支持脚や車輪といった任意の構造、形状とすることができる。支持脚とした場合は長尺座７及び標準座６の前方を持ち上げて前後のスライドを行う。
【００２６】
（実施形態５）
本発明のシェーズロングタイプソファは長尺座７を中間の二本の標準座６のいずれとも入れ替え可能であるが、場合によっては中間の二本の標準座６を固定し、左端又は右端の標準座６とのみ入れ替え可能とすることもできる。長尺座７と標準座６を少なくとも一つずつ備える二人掛け、四人掛け以上のソファの場合も本発明の前記入れ替え構造を採用することもできる。
【００２７】
（実施形態６）
本発明のシェーズロングタイプソファは、必要であれば標準座６と長尺座７の引き出し長を同じにすることも、それとは逆に標準座６の引き出し長を長尺座７の引き出し長より長くすることもできる。長尺座７、標準座６はスライドしない構成とすることもできる。
【００２８】
（その他の実施形態）
本発明のシェーズロングタイプソファの台輪の構造は図２に示すものには限られず、長尺座７及び標準座６をセット可能な設置空間２０があれば他の任意構造とすることができる。
【産業上の利用可能性】
【００２９】
本発明は、前記シェーズロングタイプソファには限られず、各種他のソファや、背凭れと複数の座面を有する各種椅子において、座面の配置の入れ替えや座面のスライドが可能なソファや椅子として応用することもできる。
【図面の簡単な説明】
【００３０】
【図１】（ａ）は、本発明のシェーズロングタイプソファの実施形態の一例を示す平面図。（ｂ）は、（ａ）に示すソファの正面図。
【図２】図１に示すシェーズロングタイプソファの台輪を示す斜視図。
【図３】（ａ）は、図１に示すシェーズロングタイプソファの長尺座の動作を示す側面説明図。（ｂ）は、図１に示すシェーズロングタイプソファの標準座の動作を示す側面説明図。
【図４】長尺座の座枠を示す斜視図。
【図５】図１に示すシェーズロングタイプソファの長尺座を示す断面図。
【図６】（ａ）はガイド機構を示す説明図、（ｂ）は座枠へのブラケットの取り付け状態を示す斜視説明図。
【図７】本発明のシェーズロングタイプソファの実施形態の一例の台輪を示す斜視図。
【図８】（ａ）は、図７に示すシェーズロングタイプソファの長尺座の収容時を示す側面説明図。（ｂ）は、（ａ）に示す長尺座の引出時を示す側面説明図。
【符号の説明】
【００３１】
１  台輪
２  袖
３  背凭れ
４  腰当て部
５  ソファ本体
６  標準座
７  長尺座
８  妻板
９  背板
１０  笠木
１１  前板
１２  後板
１３  仕切り板
１４  細長板
１５  ガイドレール
１６  回転ローラー
１７  係止部
２０  設置空間
５０  支持板
５３  係止具
５４  嵌合溝
５５  前方ピン
５６  後方ピン
５７  ストッパー
【図１】
2008259768.tif 000003
【図２】
2008259768.tif 000004
【図３】
2008259768.tif 000005
【図４】
2008259768.tif 000006
【図５】
2008259768.tif 000007
【図６】
2008259768.tif 000008
【図７】
2008259768.tif 000009
【図８】
2008259768.tif 000010